(57)【要約】【課題】  操縦性、安定性、さらには乗心地の向上が図れる車両の運動制御装置を提供する。【解決手段】  車両の各輪の駆動力を独立に制御する制御手段と、横加加速度に基づいて加減速指令値を算出する加減速指令演算手段と、横加加速度に基づいて第１の車両ヨーモーメント指令値を算出する第１のヨーモーメント指令演算手段と、横すべり情報に基づいて第２のヨーモーメント指令値を算出する第２のヨーモーメント指令演算手段と、を有し、加減速指令値に基づき４輪のうちの左右輪を略同一の駆動力を発生させて加減速を制御する第１のモードと、第１のヨーモーメント指令値に基づき４輪のうちの左右輪に異なる駆動力を発生させてヨーモーメントを制御する第２のモードと、第２のヨーモーメント指令値に基づき４輪のうちの左右輪に異なる駆動力を発生させてヨーモーメントを制御する第３のモードと、を有する車両の運動制御装置。【選択図】  図２８
2014069766.tif 000002
【特許請求の範囲】
【請求項１】
車両の各輪の駆動力又は駆動トルク、及び／又は、制動力又は制動トルクを独立に制御する制御手段と、
前記車両の横加加速度に基づいて、車両加減速指令値を算出する車両加減速指令演算手段と、
前記車両の横加加速度に基づいて、第１の車両ヨーモーメント指令値を算出する第１の車両ヨーモーメント指令演算手段と、
前記車両の横すべり情報に基づいて、第２の車両ヨーモーメント指令値を算出する第２の車両ヨーモーメント指令演算手段と、を有し、
前記車両加減速指令値に基づき、前記車両の４輪のうちの左右輪を略同一の駆動力又は駆動トルク、及び／又は、制動力又は制動トルクを発生させて車両の加減速を制御する第１のモードと、
前記第１の車両ヨーモーメント指令値に基づき、前記車両の４輪のうちの左右輪に異なる駆動力又は駆動トルク、及び／又は、制動力又は制動トルクを発生させて車両のヨーモーメントを制御する第２のモードと、
前記第２の車両ヨーモーメント指令値に基づき、前記車両の４輪のうちの左右輪に異なる駆動力又は駆動トルク、及び／又は、制動力又は制動トルクを発生させて車両のヨーモーメントを制御する第３のモードと、を有する車両の運動制御装置。
【請求項２】
請求項１記載の車両の運動制御装置において、
前記第１のモードは、
車両横加速度と車両横加加速度の積が正のときに、前記車両加減速指令演算手段によって、前記車両の横加加速度に基づいて算出された車両加減速指令値に基づき、車両の減速を制御する第１．１のモードと、
車両横加速度と車両横加加速度の積が負のときに、前記車両加減速指令演算手段によって、前記車両の横加加速度に基づいて算出された車両加減速指令値に基づき、車両の加速を制御する第１．２のモードと、のいずれか一方、あるいは両方である車両の運動制御装置。
【請求項３】
請求項１記載の車両の運動制御装置において、
前記第２のモードは、
前記第１の車両ヨーモーメント指令演算手段により、車両横加速度と車両横加加速度の積が正のときに、前記車両の横加加速度に基づいて算出された前記第１の車両ヨーモーメント指令値である車両旋回促進側のヨーモーメント指令値に基づき、車両の旋回促進側のヨーモーメントを制御する第２．１のモードと、
前記第１の車両ヨーモーメント指令演算手段により、車両横加速度と車両横加加速度の積が負のときに、前記車両の横加加速度に基づいて算出された前記第１の車両ヨーモーメント指令値である車両安定側のヨーモーメント指令値に基づき、車両の安定側のヨーモーメントを制御する第２．２のモードと、のいずれか一方、あるいは両方である車両の運動制御装置。
【請求項４】
請求項１記載の車両の運動制御装置において、
前記第３のモードは、
前記第２の車両ヨーモーメント指令値である車両安定側のヨーモーメント指令値に基づき、車両の安定側のヨーモーメントを制御する第３．１のモードと、
前記第２の車両ヨーモーメント指令値である車両旋回促進側のヨーモーメント指令値に基づき、車両の旋回促進側のヨーモーメントを制御する第３．２のモードと、の両方である車両の運動制御装置。
【請求項５】
請求項１記載の車両の運動制御装置において、
前記第１の車両ヨーモーメント指令値と前記第２の車両ヨーモーメント指令値との調停手段を有し、
前記調停手段は、前記第１の車両ヨーモーメント指令値と前記第２の車両ヨーモーメント指令値のうち、絶対値が大きな方を採用し、出力する車両の運動制御装置。
【請求項６】
請求項１記載の車両の運動制御装置において、
前記車両加減速指令演算手段と前記第１の車両ヨーモーメント指令演算手段は、同じコントローラ内に具備され、
前記車両加減速指令演算手段で算出された前記車両加減速指令値及び前記第１の車両ヨーモーメント指令演算手段で算出された前記第１の車両ヨーモーメント指令値は、前記コントローラから通信にて前記制御手段へ送信される車両の運動制御装置。
【請求項７】
請求項１記載の車両の運動制御装置において、
制動力又は制動トルクを発生する電動機を有し、
前記制御手段は、前記電動機により前記制動力又は前記制動トルクが発生されるときに生じる電力を回生する回生手段を有する車両の運動制御装置。
【請求項８】
請求項１記載の車両の運動制御装置において、
前記車両加減速指令値は、前記車両の横加速度が増加するときに前記車両が減速され、前記車両の横加速度が減少するときに前記車両が加速されるように生成される車両の運動制御装置。
【請求項９】
請求項１記載の車両の運動制御装置において、
前記車両加減速指令値は、前記車両の舵角が増加するときに前記車両が減速され、前記車両の舵角が減少するときに前記車両が加速されるように生成される車両の運動制御装置。
【請求項１０】
請求項１記載の車両の運動制御装置において、
前記車両加減速指令値は、前記車両の舵角と車速に基づいて生成される前記車両の横加速度及び横加加速度と、予め定められたゲインと、に基づいて生成される車両の運動制御装置。
【請求項１１】
請求項１記載の車両の運動制御装置において、
前記車両加減速指令値Gxcは、車両の横加速度Gy、車両の横加加速度Gy_dot、予め定めた横加加速度ゲインCxy、予め定めた一次遅れ時定数T、予め定めたラプラス演算子s、予め定めたオフセットGx_DC、とした場合、以下数式にて算出される車両の運動制御装置。
2014069766.tif 000034
【請求項１２】
請求項１記載の車両の運動制御装置において、
前記第１の車両ヨーモーメント指令値は、前記車両の横加速度が増加するときに前記車両の旋回を促進し、前記車両の横加速度が減少するときに前記車両の旋回が復元するように生成される車両の運動制御装置。
【請求項１３】
請求項１記載の車両の運動制御装置において、
前記第１の車両ヨーモーメント指令値は、前記車両の舵角が増加するときに前記車両の旋回を促進し、前記車両の舵角が減少するときに前記車両の旋回が復元するように生成される車両の運動制御装置。
【請求項１４】
請求項１記載の車両の運動制御装置において、
前記第１の車両ヨーモーメント指令値は、前記車両の舵角と車速に基づいて生成される車両の横加速度及び横加加速度と、予め定められたゲインと、に基づいて生成される車両の運動制御装置。
【請求項１５】
請求項１記載の車両の運動制御装置において、
前記第１の車両ヨーモーメント指令Mz+は、車両横加速度Gy、車両横加加速度Gy_dot、予め定めた横加加速度ゲインCmml、予め定めた一次遅れ時定数Tmm、予め定めたラプラス演算子s、とした場合、以下数式にて算出される車両の運動制御装置。
2014069766.tif 000035
【請求項１６】
請求項１０，１１，１４，１５のいずれか１項に記載の車両の運動制御装置において、
前記横加加速度は、舵角と車速に基づいて推定される、又は、ヨーレイトセンサで検出されたヨーレイトと車速から推定される、又は、横加速度センサにより計測される横加速度を、時間微分処理して算出された車両の運動制御装置。
【請求項１７】
請求項１記載の車両の運動制御装置において、
前記車両加減速指令値は、加速指令値と減速指令値とを有し、
前記加速指令値は、ドライバからのブレーキ操作指令が入力された場合にゼロとなり、
前記減速指令値は、ドライバからのアクセル操作指令が入力された場合にゼロとなる車両の運動制御装置。
【請求項１８】
請求項１記載の車両の運動制御装置において、
前記車両加減速指令値は、外界情報検出手段にて検出された障害物情報、先行車情報、後方車情報のいずれかを含む外界情報によりゼロとなる車両の運動制御装置。
【請求項１９】
請求項１１記載の車両の運動制御装置において、
前記車両加減速指令演算手段は、外界情報検出手段にて検出された障害物情報、先行車情報、後方車情報のいずれかを含む外界情報により前記横加加速度ゲインCxyを変化させる車両の運動制御装置。
【請求項２０】
請求項１５記載の車両の運動制御装置において、
前記第１の車両ヨーモーメント指令演算手段は、外界情報検出手段にて検出された障害物情報、先行車情報、後方車情報のいずれかを含む外界情報により前記横加加速度ゲインCmnlを変化させる車両の運動制御装置。
【発明の詳細な説明】
【技術分野】
【０００１】
本発明は、制動力及び駆動力を用いた車両の運動制御装置に関する。
【背景技術】
【０００２】
自動車分野では、対環境性・安全性・快適性の向上を実現するため、旋回中のスピンやコースアウト等を防止する横滑り防止装置（Electronic Stability Control：以下ESC）等の車両制御システムのみならず、車間距離制御（Adaptive Cruise Control：以下ACC）や車線逸脱防止システム、プリクラッシュセーフティといった高度道路交通システム（Intelligent Transport Systems：以下ITS）を用いた車両制御システムの開発が加速している。
【０００３】
ESCは、Direct Yaw-moment Control（DYC）の考え方に基づいた車両運動制御である（非特許文献１参照）。
【０００４】
このDYCは、非特許文献１に記載のとおり、車両の操縦性・安定性を向上するために、直接的に車両のZ軸周りの回転であるヨーイング運動を促進、あるいは復元するためのヨーイングモーメントを、左右輪の制動力、あるいは駆動力に差分を持たせることにより制御する手法である。
【０００５】
また、ハンドル操作による横運動に連係して自動的に加減速することにより、前輪と後輪の間に荷重移動を発生させて車両の操縦性と安定性の向上を図る方法もある（非特許文献２参照）。
【０００６】
自動的におこなうための加減速指令値（目標前後加速度Ｇxc）は、以下、数１に示す通り、
【０００７】
【数１】
2014069766.tif 000003
【０００８】
基本的に横加加速度Gy_dotにゲインCxyを掛け、一次遅れを付与した値を前後加減速指令にするというシンプルな制御則である。
【０００９】
なお、Gy：車両横加速度、Gy_dot：車両横加加速度、Cxy：ゲイン、T：一次遅れ時定数、ｓ：ラプラス演算子、Gx_DC：オフセット。
【００１０】
これによりエキスパートドライバの横と前後運動の連係制御ストラテジの一部が模擬でき、車両の操縦性・安定性の向上が実現できる。
【００１１】
このように制御されると、前後加速度と横加速度の合成加速度（Gと表記）が、横軸に車両の前後加速度、縦軸に車両の横加速度をとるダイアグラムで、時間の経過とともに曲線的な遷移をするように方向付けられる（Vectoring）のため、「G-Vectoring制御」と呼ばれている。
【００１２】
このG-Vectoring制御は、横加加速度に応じて車両の減速度を制御している。他方、ESCは、車両の横滑りに応じて車両のヨーモーメントを制御している。おおざっぱに言うと、タイヤによるブレーキ力の四輪の和を制御するのがG-Vectoring制御で、左右二輪毎の差分を制御するのがESCである。このような関係から特許文献１においては、四輪の駆動力、制動力を独立に制御可能な車両の運動制御装置において、横運動に連係した加減速制御指令に基づいて、四輪のうちの左右輪を略同一の制駆動力を発生する一つ目のモードと、車両の横滑り情報から算出したヨーモーメント制御指令に基づいて、四輪のうちの左右輪に異なる制駆動力を発生する二つ目のモードとを有し、ヨーモーメント指令が小さいときは、一つ目のモードで稼動し、ヨーモーメント指令が大きいときは、二つ目のモードで稼動することを特徴とする車両の運動制御装置が開示されている。
【先行技術文献】
【特許文献】
【００１３】
【特許文献１】特開２０１１−７３５３４号公報
【非特許文献】
【００１４】
【非特許文献１】Shibahata、 Y.; Tomari、 T; and Kita、 T.; SH-AWD: Direct Yaw Control (DYC)、 15. Aachener Kolloquium Fahrzeug- und Motorentechnik、 p.1627、1640、1641、2006
【非特許文献２】M. Yamakado、 M. Abe: Improvement in vehicle agility and stability by G-Vectoring control、 Vehicle System Dynamics Vol.48、 Supplement、 2010、 231-254
【発明の概要】
【発明が解決しようとする課題】
【００１５】
ESCは、各輪の制動力を左右輪別々に調整することによりヨーイングモーメントを発生させ、車両運動モデルで計算された理想的な運動と実際の運動が近づくように、フィードバック制御する方法である。制御に必要なヨーモーメントは車両の運動状態に基づいて刻一刻変化するので、これを実現するためには、大雑把に言って以下の２つの用件がある。
（１）車両運動モデルの高精度化・高速演算による理想的な運動状態の計算精度の確保、車両運動状態の正確な計測・推定、これによる正確な横すべり情報の算出、正確なスリップ率演算・制御
このためには、CAN（Control Area Network）など種々の通信速度の異なる（遅い信号もある）環境への実装が困難であり、制御状態量自身(スリップ率や、油圧指令など)がCAN信号との通信に影響を受けないESCユニット内の専用のコントローラが必要となる。
（２）早期作動防止のための制御介入閾値の適正化
そもそも、ESCは車両の左右輪に異なる制動力を作用させるため、ドライバがESCの稼動に気づく際は、通常ブレーキのうち片側が失陥しているような感覚を受ける。また、従来のESCでは、気筒数が少ないプランジャポンプを使ったり、アキュムレータに蓄圧された油圧をON/OFFバルブにより制御するために、比較的大きな作動音、振動が発生するために、ESCが本当に必要な場面でのみ作動するようにチューニングする必要がある。そのためには、制御介入閾値を大きめに取って、車両が確実に不安定に陥ってから制御を行う必要がある。
【００１６】
一方、G-Vectoring制御（以下、GVCとする）は、基本的には車両の横加加速度に比例した加減速を制御指令とする非常に制御演算付加の少ないオープンループ制御である。減速制御を行うときのブレーキは、ドライバが通常扱うサービスブレーキと同様に、４輪同圧制御であり、このように制御しても違和感が生じないばかりか、エキスパートドライバの横と前後運動の連係制御ストラテジの一部を模擬しているために、車両のロールとピッチが練成するために、逆に乗り心地が良いことが報告されている。また、ドライバと同程度の速度の減速制御を行うだけでよいので、通常のCAN信号で制御指令をブレーキコントローラに送ることで制御を実現することが可能である。しかしながら、通常領域から頻繁に稼動するために、作動音、振動が発生しないNVH（Noise、 Vibration、 Harshness）性能が高く、また耐久性に富む減速のためのアクチュエータ（スマートアクチュエータ）が必要となる。
【００１７】
ESCとGVCのそれぞれの用件、そしてそれらを組み合わせたHybrid制御の用件を図４に示す。上述したように、ESCとGVCのハイブリッド制御が、運動性能的には最も高いがESC側の用件を満たすためにはNVH性能に優れたプレミアム仕様のESCユニット内の専用コントローラにESCとGVCのハイブリッド制御ソフトを組み込むことが必要となってくる。そして、例えばESC側の閾値を変化させ「チューニング」することによりGVCとESCの連係を滑らかにすることも可能である。具体的には、ESCのオーバーステア補正の介入閾値を小さくすることにより、GVCにより実現されるAgility（俊敏性）向上効果を最大限生かし（ニュートラルステア近辺まで追いこみ）、ESCにて万が一のスピンに対応するという方法をとることも出来る。
【００１８】
現実的には、ESCユニット内の専用コントローラにESCとGVCのハイブリッド制御ソフトを組み込むことは、ESCサプライヤでないと不可能である。より多くのドライバに当該技術を提供するためには、より多くの実現形態に対応する必要がある。図５に示すのはGVCロジックをハードウェアのどのコントローラに搭載するかを示した比較表である（GVC以外の制御内容を従来制御と記載している）。たとえば図５のNo.2では、GVCはスマートアクチュエータとして、電動油圧型ブレーキアクチュエータを用いて実現されており、横すべり防止効果は通常の汎用ESCにて実現される構成である。また、No.5においては電気自動車における回生制動力をGVCに用いた構成で、横すべり防止効果は通常の汎用ESCにて実現される構成である。また、No.1,3,4,6は、NVH性能が高いプレミアムESCを用いているが、No.1以外は、高速演算が必要なESCコントローラの外側にGVCロジックを搭載し、CAN信号によりプレミアム仕様のESCを外部制御するような構成となっている。
【００１９】
No.1以外の形態を実現するためには低μ路でのスリップ制御、ヨー制御への乗り継ぎが課題とされている。もちろん、ABS(Anti-lock Braking System)などに代表されるスリップ制御、あるいはESCによるヨー制御は、単体でも稼働するため、最低限の安定性を保障することはできる。しかしながら、Hybrid制御で実現できたようなシームレスな制御に近づけるためには、GVCとESCの統合制御のみではなく、乗り継ぎのためのヨーモーメント制御を加えた新たな統合制御を構築する必要がある。
【００２０】
本発明は、操縦性、安定性、さらには乗心地の向上が図れる車両の運動制御装置を提供することを目的とする。
【課題を解決するための手段】
【００２１】
上記目的を達成させるために、本発明の車両の運動制御装置は、車両の各輪の駆動力又は駆動トルク、及び／又は、制動力又は制動トルクを独立に制御する制御手段と、車両の横加加速度に基づいて、車両加減速指令値を算出する車両加減速指令演算手段と、車両の横加加速度に基づいて、第１の車両ヨーモーメント指令値を算出する第１の車両ヨーモーメント指令演算手段と、車両の横すべり情報に基づいて、第２の車両ヨーモーメント指令値を算出する第２の車両ヨーモーメント指令演算手段と、を有し、車両加減速指令値に基づき、車両の４輪のうちの左右輪を略同一の駆動力又は駆動トルク、及び／又は、制動力又は制動トルクを発生させて車両の加減速を制御する第１のモードと、第１の車両ヨーモーメント指令値に基づき、車両の４輪のうちの左右輪に異なる駆動力又は駆動トルク、及び／又は、制動力又は制動トルクを発生させて車両のヨーモーメントを制御する第２のモードと、第２の車両ヨーモーメント指令値に基づき、車両の４輪のうちの左右輪に異なる駆動力又は駆動トルク、及び／又は、制動力又は制動トルクを発生させて車両のヨーモーメントを制御する第３のモードと、を有する構成とする。
【発明の効果】
【００２２】
操縦性、安定性、さらには乗心地の向上が図れる車両の運動制御装置を提供できる。
【図面の簡単な説明】
【００２３】
【図１】G-Vectoring制御車両の左コーナー進入から脱出までの様子を示す図である。
【図２】DYC(ESC)とGVCのハイブリッド制御構成を示す図である。
【図３】レーンチェンジでのESCのみとハイブリッド制御の稼動状況を示す図である。
【図４】ESC、GVCそしてハイブリッド制御の用件を示す図である。
【図５】GVCロジックを、どのコントローラに搭載するかを示した比較表である。
【図６】ESC、Moment+、GVC、ハイブリッド＋（Hybrid+）制御の関連を示す図である。
【図７】Moment+制御の稼働範囲・タイミングを示す図である。
【図８】モーメント制御則の基本方針を示す図である。
【図９】モーメント制御則の基本動作を示す図である。
【図１０】挙動変化時の加加速度を示す図である。
【図１１】車両スピン時のジャークセンサ計測値を示す図である。
【図１２】車両スピン時の横すべり角とヨーレイトの様態を示す図である。
【図１３】状態量と制御量の関係（ＯＳ制御の例）を示す図である。
【図１４】横加加速度と制御量（ＯＳ制御）の時系列データを示す図である。
【図１５】モデル推定横加加速度値と計測値の比較を示す図である。
【図１６】モデル推定と計測値の関係（実測例）を示す図である。
【図１７】制駆動制御による操縦性と安定性向上メカニズムを示す図である。
【図１８】本発明の３つのモードの稼働状態を示す図である。
【図１９】本発明のヨーモーメント制御と加減速制御の非干渉化を示す図である。
【図２０】本発明に係る車両の運動制御装置の第１実施例の全体構成を示す図である。
【図２１】車両モデルを用いた車両横加速度、加加速度推定を示す図である。
【図２２】コンバインドセンサを用いた車両横加速度、加加速度、G-Vectoring指令出力を示す図である。
【図２３】推定信号と計測信号による相互補完の概念を示す図である。
【図２４】本発明に係る車両の運動制御装置の制御ロジック構成を示す図である。
【図２５】車両に加わる力と加速度、ヨーイング運動を示す図である。
【図２６】本発明の３つのモード稼働状態での制駆動力配分を示す図である。
【図２７】本発明に係る車両の運動制御装置の第２実施例の制御構成を示す図である。
【図２８】本発明に係る車両の運動制御装置の第２実施例のコントローラ構成を示す図である。
【図２９】本発明に係る車両の運動制御装置の第２実施例の車両構成を示す図である。
【図３０】本発明の効果検証のためのテストコース形態を示す図である。
【図３１】本発明の効果検証のための制御組み合わせ(2^3)を示す図である。
【図３２】本発明のHybrid＋制御と、ノーマルESC車両相当のLターン試験結果を示す図である。
【図３３】GVCオフと、別コントローラHybrid制御車両相当のLターン試験結果を示す図である。
【図３４】GVC＆M+とGVCのみ車両のLターン試験結果を示す図である。
【図３５】M＋のみと、制御無し車両のLターン試験結果を示す図である。
【図３６】本発明のHybrid＋制御と、ノーマルESC車両相当のレーンチェンジ試験結果を示す図である。
【図３７】本発明のHybrid＋制御と、ノーマルESC車両相当のハンドリング路走行試験結果を示す図である。
【図３８】ハンドリング路試験結果（操縦安定性・フィーリング評価）を示す図である。
【図３９】本発明で可能となる実施形態を示す図である。
【発明を実施するための形態】
【００２４】
本発明の車両の運動制御装置では、概要としては以下のような構成とする。
【００２５】
GVCとESCの間の乗り継ぎのための線形領域から稼動する付加的なモーメント制御（Moment・plus以下、M+と記載）とGVC、ESC（DYC）を組み合わせたHybrid＋(ハイブリッド・プラス)制御を構成する（図６）。
【００２６】
また、GVCの減速指令とM+のモーメント指令を同一コントローラで演算し、それをESCのためのコントローラへと通信により送り、ESCコントローラが減速度とモーメントを統合して制御できる構成とする。 
より具体的には、本発明の車両の運動制御装置は、GVC、ESC、M+の３つのモードを持つ。すなわち、車両の各輪の駆動力又は駆動トルク、及び／又は、制動力又は制動トルクを独立に制御可能な手段を有する車両の運動制御装置において、車両横加加速度に基づいて、車両加減速指令値を決定する車両加減速指令演算手段と、車両横加加速度に基づいて、車両ヨーモーメント指令値を決定する第１の車両ヨーモーメント指令演算手段と、車両横すべり情報から車両ヨーモーメント指令値を決定する第２の車両ヨーモーメント指令演算手段と、を有し、該車両加減速指令演算手段により車両横加加速度に基づいて決定された、車両加減速指令値に基づき、車両の４輪のうちの左右輪を略同一の駆動力又は駆動トルク、及び／又は、制動力又は制動トルクを発生することにより車両の加減速を制御する第１のモード（GVC）と、第一の車両ヨーモーメント指令演算手段により車両横加加速度に基づいて決定された、車両ヨーモーメント指令値に基づき、車両の４輪のうちの左右輪に異なる駆動力又は駆動トルク、及び／又は、制動力又は制動トルクを発生することにより車両のヨーモーメントを制御する第２のモード（M+）と、第二の車両ヨーモーメント指令演算手段により車両横すべり情報に基づいて決定された、車両ヨーモーメント指令値に基づき、車両の４輪のうちの左右輪に異なる駆動力又は駆動トルク、及び／又は、制動力又は制動トルクを発生することにより、車両のヨーモーメントを制御する第３のモード（ESC）を有することを特徴とする。
【００２７】
また、該車両横加加速度に基づいて、車両の加減速を制御する第１のモードは、該車両加減速指令演算手段により、車両横加速度と車両横加加速度の積が正のときに、車両横加加速度に基づいて決定された車両減速指令値に基づき、車両の減速を制御する第１．１のモード（GVC-）と、該車両加減速指令演算手段により、車両横加速度と車両横加加速度の積が負のときに、車両横加加速度に基づいて決定された車両加速指令値に基づき、車両の加速を制御する第１．２のモード（GVC+）の、いすれか一方、あるいは両方であることを特徴とする。
【００２８】
また、該車両横加加速度に基づいて、車両のヨーモーメントを制御する第２のモードは、該第１の車両ヨーモーメント指令演算手段により、車両横加速度と車両横加加速度の積が正のときに、車両横加加速度に基づいて決定された車両旋回促進側のモーメント指令値に基づき、車両の旋回促進側のモーメントを制御する第２．１のモード（M＋ ＋）と、該第１の車両ヨーモーメント指令演算手段により、車両横加速度と車両横加加速度の積が負のときに、車両横加加速度に基づいて決定された車両安定側のモーメント指令値に基づき、車両の安定側のモーメントを制御する第２．２のモード（M＋ -）の、いすれか一方、あるいは両方であることを特徴とする。
【００２９】
また、該横すべり情報に基づいて、車両のヨーモーメントを制御する第３のモードは、該第２の車両ヨーモーメント指令演算手段により、車両横すべり情報に基づいて決定された車両安定側のモーメント指令値に基づき、車両の安定側のモーメントを制御する第３．１のモード（ESC-）と、車両旋回促進側のモーメント指令値に基づき、車両の旋回促進側のモーメントを制御する第３．２のモード（ESC+）の、両方であることを特徴とする。
【００３０】
また、該該第一の車両ヨーモーメント指令演算手段が決定した車両ヨーモーメント指令値と、該第二の車両ヨーモーメント指令演算手段が決定した車両ヨーモーメント指令値との調停手段を有し、それぞれの値のうち絶対値が大きな方を採用することを特徴とする。
【００３１】
さらには、少なくとも該車両加減速指令演算手段と、第１の車両ヨーモーメント指令演算手段は、同じコントローラ内に具備され、該コントローラから車両加減速指令と車両ヨーモーメント指令を通信にて、車両の各輪の駆動力又は駆動トルク、及び／又は、制動力又は制動トルクを独立に制御する手段へ送るように構成する。
【００３２】
ここで、本発明の基本的な考え方を、より詳しく説明する。
【００３３】
図２、３で示したようなHybrid制御で実現できたようなシームレスな制御を種々の形態で実現するためには、GVCとESCの統合制御のみではなく、乗り継ぎのためのヨーモーメント制御を加えた新たな統合制御を構築する必要がある。この乗り継ぎのためのモーメント制御をMoment+（モーメント・プラス）として、以降、M+と記載する。図７は、M+の稼働範囲・タイミングを示した模式図である。
【００３４】
上段に舵角と車速に基づく目標ヨーレイトと実ヨーレイトの比較を示しており、ここでは目標ヨーレイトが実ヨーレイトから乖離し、介入閾値を超えたことによりESCが稼働している状況を想定している。GVCは、旋回開始から定常旋回に入るまでの間、すなわち日常領域で左右輪で同等な制動力を作用させることにより稼働し、ヨーレイト・横加速度ゲインの両方を向上させ旋回性を向上する。また、GVCとESCを同じESCコントローラに搭載したHybrid制御では、日常・過渡・限界のすべてにおいてシームレスな制御を実現できる。一方、例えばESCはA社製をカーメーカで採用し、B社製ADAS（Advanced Driver Assist System）コントローラにGVCを搭載した図５のNo.4の場合、Hybrid制御のようにシームレスな制御を実現することは困難である、目標ヨーレイトと実ヨーレイトの偏差が、A社にて決定された介入閾値を超えないとESCは稼働せず、日常領域と限界領域の間にある、過渡領域での運動制御が不連続となってしまう。
【００３５】
そこでM+は、以下のような効果を狙い、過渡領域からモーメント制御を開始するような構成とする。
・ESCが稼働する手前からヨーレイト偏差を低減し、唐突なESC介入頻度を低減する。
・ESCが稼働したとしても、早期から介入することによりESC制御入力振幅を低減する。
・限界域においては、必要に応じてESCとともにモーメント指令信号を発生し続ける。
【００３６】
以上のような制御効果をもつM+制御とGVCを組み合わせた新制御を構築し、制御演算部をESC以外のコントローラに搭載し、ESCに制御指令を送ることにより、メーカに関わらず汎用的なESCを用いて、あるいは通常領域制御は、電動油圧型ブレーキアクチュエータを使ったり（図５のNo.2）、EVの回生制動を使うなど（図３のNo.5）、多彩な様態を実現することができる。
【００３７】
つぎに過渡状態におけるモーメント制御側について考える。過渡状態においては、通常時から限界時への遷移状態でも車両安定化効果を発揮する制御則が必要となる。ここでは、基本方針及び具体的な制御則の導出を図る。
＜モーメント制御則の基本方針＞
M+の制御則に対する制約条件としては、以下の観点があげられる。
【００３８】
・ESCコントローラ内部で高速計算している車輪速、横滑り角情報を使わない。
【００３９】
・直感的に理解できるシンプルな制御則とする（チューニング工数小）。
【００４０】
・GVCとの連係が容易にできる。
【００４１】
これに加え、遷移状態で稼働する制御ということで、日常領域＋α（日常領域からほんの少し限界に近づいた領域）に対する制御と限界領域に対する制御のセレクト・ハイのような構成となっていると、シームレスな制御指令を得ることが期待できる。そして、限界領域に入ると、ESC制御への引き継ぎ（セレクト・ハイ）を行う（図８）。
【００４２】
日常領域＋αでの制御則を導出する上で、「ヒューマン・インスパイアード（人間の運転動作を模倣する）」の考えから、ドライバの運転動作を参考にすることとした。また、限界領域制御則については、スピン発生直前の車両挙動を基に導出を図ることにした。次項以降で、日常領域に対する制御、限界領域に対する制御についてそれぞれ考えていくことにする。
＜Moment+ の制御則導出＞
・日常領域＋α制御
当然のことではあるがアクセル、ブレーキペダルは１つずつであるため、ドライバは直接的には４輪の制動力及び駆動力を独立してヨーモーメントを制御することはできない。したがって、ヨーモーメントの制御則をGVCのように（人間の運転動作を模倣して）、直接的に見出すことはできない。そこで、コーナリング時のドライバの随意な加減速動作に基づく荷重移動により発生するヨーモーメントを再確認し、制御アルゴリズムの導出を図る。
【００４３】
GVCは横運動に連係した加減速制御である。一方、加減速を行うと、タイヤの垂直荷重が移動する。例えば、減速中は後輪から前輪に、加速中は前輪から後輪に荷重が移動する。一方、コーナリングフォースは良く知られているように荷重依存性を有する。ここで、コーナリングスティフネスをKi（i=f、 r、 f：フロント、r：リア）として、これらがタイヤ垂直荷重Wiに対して１次の荷重依存性（比例係数C1）を持つ場合、以下数２であらわせる。
【００４４】
【数２】
2014069766.tif 000004
【００４５】
一方、車両の重心高さをhとして、車両がGxで加減速すると、前輪荷重Wf（１本分）は、以下数３となる。
【００４６】
【数３】
2014069766.tif 000005
【００４７】
後輪荷重Wr（１本分）は、以下数４となる。
【００４８】
【数４】
2014069766.tif 000006
【００４９】
したがって、コーナリングスティフネスKf、Krは、前後それぞれ、以下数５、数６となる。
【００５０】
【数５】
2014069766.tif 000007
【００５１】
【数６】
2014069766.tif 000008
【００５２】
ここで、コーナリングフォースは、横滑り角βに比例すると仮定すると、以下数７、数８となる。
【００５３】
【数７】
2014069766.tif 000009
【００５４】
【数８】
2014069766.tif 000010
【００５５】
これらの関係を、横加速度とヨー運動の方程式に代入すると、以下数９、数１０となる。
【００５６】
【数９】
2014069766.tif 000011
【００５７】
【数１０】
2014069766.tif 000012
【００５８】
ここで、Gy0とr0_dotは、加減速を行わない場合の、もともとの横加速度とヨー角速度である。上記運動方程式の数９、数１０で最終的に変形した項に着目すると、Gxが負、すなわち減速すると、横加速度とヨー運動はともに、強められるということがわかる。
【００５９】
運動方程式、数１０の中で、ヨー慣性モーメントIzは、以下数１１のように近似して書き換えることができる。
【００６０】
【数１１】
2014069766.tif 000013
【００６１】
したがって、数１１を数９、数１０に代入して整理し、行列形式で表し、また、これにGVC制御則を適用すると、以下数１２となる。
【００６２】
【数１２】
2014069766.tif 000014
【００６３】
数１２によるとGVCによる影響は、ヨー運動と横加速度の両方に作用することがわかる。また横加速度に対する影響度合いは、加減速とヨー運動の積の形で、ヨー運動に対する影響度合いは、加減速と横加速度の積の形で表され、クロスカップリングされた形で影響を及ぼしあうことがわかる。以下では、この関係を基に、安定化のためのモーメント制御について考える。
【００６４】
GVCにおいては、コーナーからの脱出時で横加加速度が負のときには、加速度指令が出される。しかしながら、ブレーキ制御に重きを置く試験車両においては、GVCの減速指令のみを用い、加速側は制御を行わずドライバにゆだねていた（Gx_DRV）。
【００６５】
したがって、
コーナー進入時：GVCによる自動減速（Gx_GVC）（以下、数１３となる）
【００６６】
【数１３】
2014069766.tif 000015
【００６７】
コーナー脱出時：ドライバによる加速（Gx_DRV）（以下、数１４となる）
【００６８】
【数１４】
2014069766.tif 000016
【００６９】
ここで、ドライバは単純に、加速（速度を増加）することを望んでいるだけではなく、数１４のヨー運動において、Gxを正として、荷重移動により後輪に荷重を移動し、ヨーモーメントを減少させて、直進状態へ戻りやすくしているとも考えられる。
【００７０】
この仮説にしたがえば、ドライバと同様なタイミングでヨー運動を安定化させる方向のモーメントを入れればよいことになる。さらに、ドライバはGVCの加速側の指令とプロファイルが似た加速形態をとることを確認している（非特許文献２参照）。
【００７１】
すなわち、日常領域＋αに対するドライバアシスト制御としては、「GVCにおいて加速側の指令が出ているときには、ヨー運動を低減させる復元側のモーメントを車両に加えればよい」ことになる。ここで、数１のGVC指令値とのアナロジーを考え、Gx_DRV＞0、すなわち-sgn(Gy・Gy_dot)＞0のとき、以下数１５となる。
【００７２】
【数１５】
2014069766.tif 000017
【００７３】
ただしCmnは比例係数、Tmnは一次遅れ時定数である。これが日常領域＋α制御の基本則である。また、sgn項と一次遅れを省略・簡略化し、GVCによる減速度、M+によるモーメント制御を統合した形で記載すると、以下数１６のようになる。ただし、Cmnは、比例係数である。
【００７４】
【数１６】
2014069766.tif 000018
【００７５】
結局、横加加速度Gy_dotに応じて、減速度と安定化モーメントを加えることになる。図９にこの統合制御の基本概念図を示す。
【００７６】
日常領域ではドライバの舵角入力と、車両運動モデルで計算して求めた車両挙動との相関が高い。また、舵角はヨーイング運動に対するドライバの意図を反映し、車両挙動よりも「位相の進んだ」信号として、制御系の位相補償を可能とする。したがって、日常領域でのモーメント制御を行う場合には、GVC指令で特許文献１に記載されているのと同様に、車両運動モデルを用いて推定した横加加速度を用いて制御するとよい。
【００７７】
（注：ここでは圧雪路などの低摩擦領域を稼働範囲として考えている。アスファルト路などで旋回脱出時にドライバがアクセルを踏み込み加速要求を発した場合は、即座にブレーキによるモーメント制御もキャンセルされるように構成する。）
・限界領域での制御
力の釣り合いが何らかの原因で破綻するときには、加速度の変化、すなわち加加速度が発生する（図１０）。
【００７８】
図１１は、旋回中にサイドブレーキを引き、後輪のタイヤ力を飽和させ、挙動変化（スピン）を発生させ、その後サイドブレーキを緩めたときのジャーク（加加速度）センサの計測値である。サイドブレーキを引くと同時に横加速度が低下し、横加速度と逆の方向の横加加速度が発生している様子が見て取れる。これとは逆にサイドブレーキを弱めると横加速度が回復してきて、横加速度と同じ方向の加加速度が発生することになる。ここから得られる知見は「加速度と加加速度の積が負のときは滑り始めたとき」で、「積が正のときはすべるのをやめて運動が元の状態に回復しつつあるとき」ということである。これは横運動に限ったことではなく、前後方向についても成り立つ。このように車両がすべる状況、そして復帰してくる状況を、加速度と加加速度で検知できる。
【００７９】
ここで、もう少し、スピンを含む挙動変化を具体的に考えると、図１２のように、車両の重心点の進む方向と、車両の長手方向の中心線とのなす角、横すべり角βがほぼゼロの状態で安定して走行しているとする(β_dot=0)。このときのヨーレイトはr0で、車両の横加速度は、車両速度をVoとするとGy＝Vo×r0の関係がある。
【００８０】
ここで車両がスピンを開始すると、ΔTの間に、r0→r1 (＞r0)、 β0→β1(<0)となりr1_dot=(r1- r0)/ΔT＞0、 β1_dot=β1/ΔT<0となる。車両本来の復元方向ヨーモーメントが小さく、さらにDYCによる制御などが行われない場合は、さらにΔT経過すると、横すべり角が増加し、車両はスピンしてしまう。
【００８１】
横加速度は、速度V、横滑り角速度β_dot、ヨーレイトrを用いて、以下のように表記することができる。
【００８２】
【数１７】
2014069766.tif 000019
【００８３】
スピンの場合、横加速度はそれ以前の定常状態での横加速度に比べて、必ず低下する。これは、rの正の増加分がβを負の方向に増加（β1_dot <0）させるためである。よって、横加加速度は、数１８となるが、スピン時にはこの値が負となる。
【００８４】
【数１８】
2014069766.tif 000020
【００８５】
「加速度と加加速度の積が負のときは滑り始めたとき」という上記事象は、スピンの時にも成り立っている。
（追記１：数１８の第一項は、加加速度の回転成分であり遠心加加速度と考えることもできる（≒r・Gx））
（追記２：横滑り角が増加してくると、横加速度センサで計測できる横加速度は、遠心力（旋回経路の中心方向に働く）のcosβ成分なので、計測値自身が低下する）
さて、十分短い時間を考え、前後加速度一定、速度も一定と考えると、横加加速度は、以下数１９のように考えることができる。
【００８６】
【数１９】
2014069766.tif 000021
【００８７】
横加加速度は、速度、加速度と速度の比で表せる値を係数として、横滑り角変化、横滑り角、ヨー角加速度、ヨー角速度の和と考えることができる。比率は変化するが、少なくとも因果関係は有しており、横加加速度が発生しているときは、これらの量が変化していると考えられる。先の、スピンの例では、ヨーレイト、ヨー角加速度が増加し、横滑り角、横滑り角速度が負の方向に増加したと考えられる。
【００８８】
さて、図１３は、ESCのOS制御の例を示している。このロジックでは、車両モデルにより推定された目標ヨーレイト、横滑り角と、計測されたヨーレイト、オブザーバを用いて推定された横滑り角との偏差、および横滑り角の絶対値に基づいて、それらを加算、あるいはセレクト・ハイにより目標モーメント指令を決定している。
【００８９】
これら、ヨーレイト、横滑り角偏差について考えてみる。図１４は、これらを一般化した形で示した図である。目標横運動と実横運動の差分、横運動変化を取り出して、時間軸上に示すと、中段の図となる。横運動変化が介入閾値を超えた時点から、これらの値に基づいてモーメント指令値が計算される。
【００９０】
さて、仮に、目標横運動がゼロの場合の横運動偏差を考えると、これは、実横運動そのものとなる。このときの、横運動偏差の時間微分値は、実横加加速度で表せると考えられる（図１４下段）。さらに、目標横運動が十分ゆっくりした動きである場合、これを平衡点と考え、横運動偏差を平衡点からの微小擾乱として考えると、平衡点における時間微分はゼロであるために、横運動偏差の時間微分値は、やはり実横運動の時間微分値と考えられる。以下では、横加加速度をモーメント制御の指令値として考えてみる。
【００９１】
先に述べたとおり、「加速度と加加速度の積が負のときは滑り始めたとき」、「スピンし始めたとき」と考えることが出来る。このときには、スピンと逆方向（復元方向）のモーメントを車両に加えてやればよい。このときのモーメント指令値を最も直接的に定式化すると、数２０となる。
【００９２】
【数２０】
2014069766.tif 000022
【００９３】
ただし、Cmlは、比例係数である。これは、前節で述べた日常領域＋αに対する「GVCにおいて加速側の指令が出ているときには、ヨー運動を低減させる復元側のモーメントを車両に加えればよい」ということと、矛盾が無い。したがって、先の比例係数CmnとCmlとを適切に選ぶことにより、日常領域から限界領域までシームレスな統合制御を構成することができる（もちろんESCも横滑り情報に基づき介入する）。
・M+制御のシームレス化
これまでのGVC制御においても、図１５のように、車両運動モデルを用いて推定されるモデル推定横加加速度値と計測値の両方を用いて制御を行ってきた（特許文献３参照）。モデル推定による位相の早い加加速度情報は、早期に制御を開始し、減速による前輪への荷重移動によって、ステアリングの手ごたえ感の向上を狙う効果がある。また、主に低摩擦路対応ではあるが、操舵を止めた後に遅れて発生する車両横運動に対しても連係した減速を行うことにより、制御の唐突な終了が発生せず、連続感が得られることを確認している。
【００９４】
さて、M+制御の日常領域から限界領域に対するシームレス化を図る際にも同様な手法を用いることにした。図１６は圧雪路における味見試験結果である。実際の制御は行っていないが、Lターンでスピンを誘発させた時の舵角、車両挙動とこれに基づいて、計算した指令値を示している。既に、減速側のGVC指令はセレクト・ハイ(絶対値で見て)として、指令値を構築していたが、今回、加速側の指令値も、モデル推定（Gy_dot Estimated）に基づく指令値と、計測値（Gy_dot Measured）に基づく指令値のセレクト・ハイにてモーメント指令値（Mz_GVC）を得るようにした。このような構成をとることにより、先に述べたような「モーメント制御則の基本方針」に沿った制御則を得ることが出来る。また、８秒近辺に、モデル推定による減速指令が出ているが、GVCとモーメント指令は非干渉であるので、両方の制御を実施することもできる。このときは復元側のモーメントを加えながら減速させるという動作となる。
・総合制御（Hybrid＋Enhanced制御）
これまでは、ESCによるブレーキ制御に焦点を当てていたが、ここでは４輪独立制駆動制御が可能な状況を考え、これをHybrid＋Enhanced制御と呼ぶことにする。４輪独立で制駆動が可能ということは、左右の制駆動差でモーメントを発生しながら、左右の制駆動和を一定とすることができ、結果として加減速を任意に制御しながら、モーメントを任意に制御できる。
【００９５】
また、左右輪の制駆動力に差分をつけて直接的にモーメントを制御するのに加え、先の数２から数１５の式展開で示し、また図１７に示すように、旋回中に加減速で発生する前後輪間の荷重移動により、前後輪の横力の差を用い、間接的にではあるが、モーメントを制御することができる（B1、B2）。先のブレーキ制御では、モーメントを制御しようとしても、当然のことながら減速度も発生することになるが、駆動力も制御可能であれば、図１７（A1）、（A2）に示すように全部の輪に、駆動力を等しく付加することにより、加減速を伴わず、モーメントのみを制御することができる。このような状況では、加減速はドライバのアクセル動作とGVCにより制御され、モーメントはM+と横滑り情報にもとづくESC（DYC）で制御することができる。ここで、M+制御を数２０の安定側のみの制御から、ターンインのときの旋回促進制御まで拡張すると、数２１のようになる。
【００９６】
【数２１】
2014069766.tif 000023
【００９７】
ただし、横加速度ゲインCmnlは通常領域から限界領域までを見据えて適切な値とする必要がある。
【００９８】
このように構成されれば、図１８のようなHybrid＋Enhanced制御を実現することが出来る。図１８は上からドライバ舵角、横加速度推定値Gye、横加速度計測値Gys、それぞれの時間変化率Gye_dot、Gys_dot（推定、検出については後記）、そして横加加速度に基づいたGVCによる加減速指令値、ブレーキ/アクセル踏み込み量から推定したドライバの加減速指令値、ここでは、調停手段により、２つの加減速指令値の絶対値の大きい方を採用する手法でドライバの加減速指令とGVCの加減速指令の調停を行った実質上の減速指令（Gxc）、横加加速度、特に横加速度計測値の時間変化率Gys_dotに基づいた、M+ヨーモーメント指令値（Mz_GVC）、ESCによるヨーモーメント指令値（これは横加加速度と類似の形になるが、閾値等の関係から、Mz_GVCに比べて遅れた信号となる）Mz_ESC、 ここでは、２つのモーメント指令値の絶対値の大きい方を採用する手法でESCのモーメント指令値とM+ヨーモーメント指令値（Mz_GVC）の調停を行った実質上のモーメント指令値（Mzc）を示している。
【００９９】
図１８の基本的な想定シーンは、図１と同様である。直進路Ａ、過渡区間Ｂ、定常旋回区間Ｃ、過渡区間Ｄ、直進区間Ｅという、コーナーへの進入、脱出の一般的な走行シーンを想定している。しかしながら、旋回の途中（例えば図１の４点近辺）で、路面の急変などを原因とした図１１に示すようなスピン方向の挙動変化を発生している状況を示している。このとき、ドライバ舵角は変化していない（よって横加速度推定値Gyeも定常値をとる）が、計測した横加速度は、一瞬低下して挙動変化が発生している状況を示している。
【０１００】
このような状況では、横加加速度が発生するが、特開２０１１−１０５０９６号公報に記載されている方法を採用することにより、摩擦限界付近に到達していると判定した場合には、GVCの前後加速度指令値の絶対値をゼロ、もしくは補正前よりも小さな値に補正することにより、GVC指令値（Gx_GVC）は、挙動変化ポイント近辺では発生しないようにすることができる。
【０１０１】
また、図１８では、ドライバの減速指令Gx_DRVは、舵角を切り込む前から発生(手前ブレーキ)し、定常旋回の手前でブレーキをリリースし、定常旋回、および挙動変化発生中も加減速意思が無い。また、コーナーからの脱出時にブレーキを踏み始め、コーナー脱出後も加速をしている。定常旋回の手前でブレーキを抜くと、フロントに移動していた荷重が抜けるため、数１２で示した、ヨー運動と、横加速度の促進が期待できず、狙いのラインから外側にずれる可能性がある。実質上の減速指令Gxcにおいては、ドライバによるコーナー手前からの減速と、GVCによる旋回促進効果の両方が得られ、コーナー脱出時には、GVCによる安定化向上効果が働くと同時に、ドライバの狙いの速度までの加速が実現できる。
【０１０２】
つぎに、モーメント制御については、M+ヨーモーメント指令値は、基本的には横加加速度に基づいて発生するため、旋回開始時と脱出時にそれぞれ旋回促進モーメントと、復元モーメントを発生させるため、操縦性の向上と、安定性の向上を図ることが出来る。ここで注意を要するのが、モーメント指令値を通常領域から稼働させると、操舵角入力に対するヨー応答の位相が大きく進み、ロールモーメントとなる横加速度の発生が相対的に遅れ、制御無しに比べてヨーとロールの連成の一貫性に変化を与え、サスペンションのアンチダイブ・リフト力が左右でアンバランスとなり、制御時の車両姿勢変化が発生する。したがって、少なくともドライアスファルトなど、摩擦係数が高いところでは、ゲインを落とす、あるいは旋回促進側のみ制御を行わないなどの処置を取ってもよい。
【０１０３】
また、挙動変化が発生している状況では、図１１に示すようにタイヤ横力の総和と遠心力の釣り合いの変化のために、横加速度と逆符号の横加加速度が発生する。したがって、数２１に基づき、ヨーモーメントを制御することにより、スピン回避・低減を行うことが出来る。ここで注意を要するのが、車両が安定してくる、すなわち横加速度の回復に伴う制御指令（図では正→旋回促進方向）である。このときに、スタティックマージンが低い車両の場合一度安定しかけた車両を不安定にしてしまう危険性がある。したがって、スタティックマージンが低い車両の場合、フィルター処理などにより、このような周波数の高い旋回正方向のモーメント指令を受けつけないようにするか、そもそも旋回正方向のモーメント指令は受け付けないようにして、図９のように復元モーメントのみに特化してもよい。
【０１０４】
挙動変化が発生する状況では、当然のことながらESCによるモーメント指令が稼働する。しかしながら、M+指令により挙動変化とほぼ同時に、復元モーメントにより安定化されるため、ESCによるモーメント指令は小さくなる。結局、M+ヨーモーメント指令値とESCによるヨーモーメント指令値の大きい方を選択してMzcとすることにより、制御不足とならず、安全性を確保することができる。
【０１０５】
尚、４輪独立制駆動制御が可能であるので、モーメント指令値で発生する片側制動力と等しい駆動力を、４輪に等分することにより、モーメントを制御しても、加減速が発生しないようにすることができる。このメカニズムを図１９に示す。
【０１０６】
ESCとM+制御により、横滑り情報と横加加速度に基づいたモーメント指令Mzcが決定されると（図１９では反時計回りのモーメント）、これを実現するために数２２の関係を満たすように、左側の前後輪にFfl、Frlの制駆動力(符号は負)が加えられる。
【０１０７】
【数２２】
2014069766.tif 000024
【０１０８】
これにより、車両には、数２３であらわせる減速度が発生してしまう。
【０１０９】
【数２３】
2014069766.tif 000025
【０１１０】
一方、GVCとドライバ加減速指令により、横加加速度、ステア情報、ドライバ意図に基づいた加減速指令Gxcが決定されると（図１９では減速）、これを実現するために数２４の関係を満たすように、４輪に、Ffl、Ffr、Frl、Frrの制駆動力が加えられる（ここでは、４輪独立制駆動制御が可能な状況を想定）。
【０１１１】
【数２４】
2014069766.tif 000026
【０１１２】
ここで、ヨーモーメントを制御と、加減速制御の非干渉化を実現するための、最も簡単な補正法として、数２５がある。
【０１１３】
【数２５】
2014069766.tif 000027
【０１１４】
これを４輪に等配分し、新たに４輪の制駆動力を決定すると、数２６となる。
【０１１５】
【数２６】
2014069766.tif 000028
【０１１６】
このように制駆動制御されると、加減速制御は、当初の値、数２７となり、
【０１１７】
【数２７】
2014069766.tif 000029
【０１１８】
モーメント制御も当初の指令値（数２８）となり、
【０１１９】
【数２８】
2014069766.tif 000030
【０１２０】
ヨーモーメントを制御と、加減速制御の完全非干渉化が可能となる。
【０１２１】
特に、加減速Gxcがゼロに制御されている場合、数２４によって、ΔFは、負となるため、数２５から、左側輪は制動、右側輪は駆動するということになる。ハードウェアの制約（例えばESCなどの減速アクチュエータのみで実現）がある場合には、多少の減速感を伴うことになる。
【０１２２】
以上のように、車両の４輪の駆動力、制動力を独立に制御可能な車両の運動制御装置において、車両横加加速度（Gy_dot）に基づいて、車両加減速指令値を決定する車両加減速指令（GVC指令）演算手段と、車両横加加速度に基づいて、車両ヨーモーメント指令値を決定する第１の車両ヨーモーメント指令（M+指令）演算手段と、車両横すべり情報から車両ヨーモーメント指令値を決定する第２の車両ヨーモーメント指令演算手段（ESC指令)とを有し、その車両加減速指令演算手段により車両横加加速度に基づいて決定された、車両加減速指令値に基づき、車両の４輪のうちの左右輪を略同一の制駆動力（ブレーキ同圧・左右駆動力差なし、あるいは左右駆動力差なし）を発生することにより車両の加減速を制御する第１のモードと、第一の車両ヨーモーメント指令演算手段により車両横加加速度に基づいて決定された、車両ヨーモーメント指令（M+指令）値に基づき、車両の４輪のうちの左右輪に異なる制駆動力を発生することにより車両のヨーモーメントを制御する第２のモードと、第二の車両ヨーモーメント指令演算手段により車両横すべり情報に基づいて決定された、車両ヨーモーメント指令（ESC指令）値に基づき、車両の４輪のうちの左右輪に異なる制駆動力を発生することにより、車両のヨーモーメントを制御する第３のモードを有することにより、M+(モーメント・プラス)指令によるヨーモーメント制御がG-VectoringとESC（DYC）の連携制御における、乗り継ぎ部分の制御として機能し、これまで、ESCに組み込む以外に方法が無かった操縦性、安定性、さらには乗心地の向上が図れる車両の運動制御を複数の実施形態で実現することができるようになり、より多くのドライバに当該技術・装置を提供することができる。
【０１２３】
次に、ハードウェア構成等を示した実施例について、詳細に実施形態を２例説明する。
【実施例１】
【０１２４】
図２３に、本発明の車両の運動制御装置の第１実施例の全体構成を示す。
【０１２５】
本実施例において車両０はいわゆるバイワイヤシステムで構成され、ドライバと操舵機構、加速機構、減速機構の間に機械的な結合は無い。
＜駆動＞
車両０は左後輪モータ１により左後輪６３、右後輪モータ２により右後輪６４を駆動するとともに、左前輪モータ１２１で左前輪６１を、右前輪モータ１２２で右前輪６２を駆動する四輪駆動車（All Wheel Drive：ＡＷＤ車）である。
【０１２６】
ここで、特に電気モータや内燃機関などの動力源の差異については、本発明を示す、最も好適な例として、また、あとで示す四輪独立ブレーキと組み合わせることにより、四輪の駆動力および制動力を自由に制御できるような構成となっている。以下、詳細に構成を示していく。
【０１２７】
左前輪６１、右前輪６２、左後輪６３、右後輪６４には、それぞれブレーキロータ、車輪速検出用ロータと、車両側に車輪速ピックアップが搭載され、各輪の車輪速が検出できる構成となっている。そして、ドライバのアクセルペダル１０の踏み込み量は、アクセルポジションセンサ３１により検出され、ペダルコントローラ４８を経て、制御手段である中央コントローラ４０で演算処理される。この中央コントローラ４０では、４輪の各輪の駆動力及び／又は制動力を独立に制御するものであり、この演算処理の中には本発明の目的としての「操縦性と安定性を向上する」ためのGVC、ESC、M+制御も含まれている。そしてパワートレインコントローラ４６は、この量に応じて、左後輪モータ１、右後輪モータ２、左前輪モータ１２１、右前輪モータ１２２の出力を制御する。
【０１２８】
アクセルペダル１０にはまた、アクセル反力モータ５１が接続され、中央コントローラ４０の演算指令に基づき、ペダルコントローラ４８により、反力制御される。
＜制動＞
左前輪６１、右前輪６２、左後輪６３、右後輪６４には、それぞれブレーキロータが配備され、車体側にはこのブレーキロータをパッド（図示せず）で挟み込むことにより車輪を減速させるキャリパーが搭載されている。ブレーキシステムはキャリパー毎に電機モータを有する電機式である。
【０１２９】
それぞれのキャリパーは、基本的には中央コントローラ４０の演算指令に基づき、ブレーキコントローラ４５１（前左輪用）、４５２（前右輪用）、４５３（後輪用）により制御される。ブレーキペダル１１にはまた、ブレーキペダル反力モータ５２が接続され、中央コントローラ４０の演算指令に基づき、ペダルコントローラ４８により、反力制御される。
＜制動・駆動の統合制御＞
本発明においては、「操縦性と安定性を向上する」ためGVCでは左右略等しい制駆動力を発生させ、ESC、M+では、左右輪に異なる制動力や駆動力を発生させることになる。
【０１３０】
このような状況での統合制御指令は中央コントローラ４０が統合的に指令を決定し、ブレーキコントローラ４５１（前左輪用、前右輪用）、４５２（後輪用）、パワートレインコントローラ４６、左後輪モータ１、右後輪モータ２、左前輪モータ１２１、右前輪モータ１２２を介して適切に制御される。
＜操舵＞
車両０の操舵系はドライバの舵角とタイヤ切れ角の間に機械的な結合の無い、ステアバイワイヤ構造となっている。内部に舵角センサ（図示せず）を含むパワーステアリング７とステアリング１６とドライバ舵角センサ３３とステアリングコントローラ４４で構成されている。ドライバのステアリング１６の操舵量は、ドライバ舵角センサ３３により検出され、ステアリングコントローラ４４を経て、中央コントローラ４０で演算処理される。そしてステアリングコントローラ４４はこの量に応じて、パワーステアリング７を制御する。
【０１３１】
ステアリング１６にはまた、ステア反力モータ５３が接続され、中央コントローラ４０の演算指令に基づき、ステアリングコントローラ４４により、反力制御される。
【０１３２】
ドライバのブレーキペダル１１の踏み込み量は、ブレーキペダルポジションセンサ３２により検出され、ペダルコントローラ４８を経て、中央コントローラ４０で演算処理される。
＜センサ＞
次に本発明の運動センサ群について述べる。
【０１３３】
本実施例における車両の運動を計測するセンサについては、絶対車速計、ヨーレイトセンサ、加速度センサなどを搭載している。これに加え、車速、ヨーレイトについては車輪速センサによる推定、ヨーレイト、横加速度については、車速と操舵角と車両運動モデルを用いた推定などを同時に行っている。
【０１３４】
車両０には、外界情報検出手段であるミリ波対地車速センサ７０が搭載されており、障害物情報、先行車情報、後方車情報を検知すると共に、前後方向の速度Ｖxと横方向の速度Ｖyを独立して検出可能である。また、ブレーキコントローラ４５１、４５２には前出したように各輪の車輪速が入力されている。これら４輪の車輪速より前輪（非駆動輪）の車輪速を平均処理することにより絶対車速を推定することができる。
【０１３５】
本発明においては、特開平５−１６７８９号公報に開示されている方法を用い、この車輪速および車両前後方向の加速度を検出する加速度センサの信号を加えることにより四輪同時に車輪速度が落ち込む場合でも、絶対車速（Ｖx）を正確に測定するように構成されている。
【０１３６】
また左右輪速度の差分をとることにより車体のヨーレイトを推定するような構成も内包しており、センシング信号のロバスト性の向上を図っている。そしてこれらの信号は中央コントローラ４０内にて、共有情報として、常にモニタリングされている。推定絶対車速は、ミリ波対地車速センサ７０の信号と比較・参照されいずれかの信号に不具合が生じたときにお互いに補完しあうように構成されている。
【０１３７】
図２０に示すように、横加速度センサ２１と前後加速度センサ２２およびヨーレイトセンサ３８は、重心点近辺に配置されている。
【０１３８】
また夫々の加速度センサの出力を微分して加加速度情報を得る微分回路２３、２４が搭載されている。
【０１３９】
さらにヨーレイトセンサ３８のセンサ出力を微分してヨー角加速度信号を得るための微分回路２５が搭載されている。
【０１４０】
本実施例では微分回路の存在を明確化するために各センサに設置しているように図示したが、実際は中央コトローラ４０に直接加速度信号を入力して各種演算処理をしてから微分処理をしてもよい。先の車輪速センサから推定されたヨーレイトを用い中央コントローラ４０内で微分処理をして車体のヨー角加速度を得ても良い。
【０１４１】
また、近年目覚しい進歩を見せるＭＥＭＳ型の加速度センサユニットの中に、微分回路を内包して、検出素子からの加速度に比例した信号を直接微分した加加速度出力を有するセンサを用いても良い。加速度センサ出力信号には信号を平滑化するためのローパスフィルタを通ったあとの信号である場合が多い。
【０１４２】
加加速度を得るために一度ローパスフィルタを通った信号を再び微分するよりも、位相遅れの少ない精度の高い加加速度信号を得ることができる。
【０１４３】
また、特開２００２−３４０９２５号公報に開示されている加加速度を直接検出可能の加加速度センサを用いても良い。
【０１４４】
図面での説明上、前後加速度センサ、横加速度センサ、ヨーレイトセンサ、微分器などを明示的に独立して記載しているが、これらの性能をひとつの筐体に収めたコンバインドセンサ２００として、前後・横加速度、加加速度、ヨーレイト、ヨー角加速度をこのセンサから直接出力しても良い。また、さらには数１の横運動に連係した加速度指令値（GVC)あるいは数２１のモーメント指令値（M+)を計算して出力する機能を、このコンバインドセンサに統合しても良い。
【０１４５】
そしてこれらの指令値をＣＡＮ信号に乗せてブレーキユニットあるいは駆動ユニットに送り、GVC、モーメント・プラス制御を行っても良い。
【０１４６】
このような構成とすると、コンバインドセンサを車両に乗せるだけで、既存のブレーキユニット、駆動ユニットを用いてGVCとモーメント・プラス制御が実現でき、さらにESCにより通常領域から限界領域までのシームレスな制御を実現できる。
【０１４７】
また、本実施例においては、横加速度Gy、横加加速度Gy_dotを推定する方法も採用している。推定する方法としては、舵角と車速に基づいて推定される、又は、ヨーレイトセンサで検出されたヨーレイトと車速から推定される。
【０１４８】
図２１を用いて、操舵角δから横加速度推定値Gyeと横加加速度推定値Gye_dotを推定する方法について述べる。
【０１４９】
まず車両横運動モデルにおいて、操舵角δ[deg]と車両速度V[m/s]を入力として、動的特性を省略した定常円旋回時のヨーレイトrを以下数２９で算出する。
【０１５０】
【数２９】
2014069766.tif 000031
【０１５１】
この式において、スタビリティファクタA、ホイールベースｌは車両固有のパラメータであり、実験的に求めた値である。
【０１５２】
また、車両の横加速度Gyは、車両速度Ｖ、車両の横すべり角変化速度β_dot、そしてヨーレイトrとして、以下数３０で表記できる。
【０１５３】
【数３０】
2014069766.tif 000032
【０１５４】
β_dotはタイヤ力の線形範囲内の運動であり小さいとして省略しうる量である。
【０１５５】
ここでは、先に述べたように動的特性を省略したヨーレイトrと車速Ｖを乗じて、横加速度Gye-wodを算出する。この横加速度は低周波領域では応答遅れ特性を有する車両の動的特性を考慮していない。
【０１５６】
これは以下の理由による。車両の横加加速度情報Gy_dotを得るためには横加速度Gyを離散時間微分する、つまり横加速度センサにより計測される横加速度を、時間微分処理して算出する必要がある。この際に信号のノイズ成分が増強される。この信号を制御に用いるためにはローパスフィルター（ＬＰＦ）を通す必要があるが、これは位相遅れを発生させてしまう。そこで動的特性を省略した、本来の加速度よりも位相の早い加速度を算出し、離散微分を行った後で時定数TlpfeのＬＰＦを通すという方法を採用し、加加速度を得ることにした。これはＬＰＦによる遅れで横加速度の動的特性を表現し、得られた加速度を単に微分したと考えても良い。横加速度Gyも同じ時定数TlpfのＬＰＦに通す。これで加速度に対しても動的特性を与えられたことになり、図は省略するが、線形範囲においては、実際の加速度応答を良く表現できていることを確認している。
【０１５７】
以上のように、操舵角を用いて横加速度Gyおよび横加加速度Gy_dotを算出する方法は、ノイズの影響を抑え、かつ横加速度Gyと横加加速度Gy_dotの応答遅れを小さくするという利点がある。
【０１５８】
しかしながら本推定方法は、車両の横滑り情報を省略したり、タイヤの非線形特性を無視したりしているため、横滑り角が大きくなってきた場合には、実際の車両の横加速度を計測して利用する必要性がある。
【０１５９】
図２２は、たとえばコンバインドセンサ２００内のＭＥＭＳ素子２１０の検出素子信号Gyeoを用いて、制御のための横加速度Gys、横加加速度情報Gys_dotを得る方法を示している。路面の凹凸などのノイズ成分を含んでいるために、検出素子信号についてもローパスフィルター（時定数Tlpfs）を通す必要がある（ダイナミクス補償ではない）。
【０１６０】
コンバインドセンサ２００内では得られた制御のための横加速度Gys、横加加速度情報Gys_dotを用いて、加減速指令演算部にて数１からGVC指令を演算し、加減速指令値Gxtを出力したり、数２１からモーメント指令値（M+)を演算し、モーメント指令値Mz+を出力したり、しても良い。
【０１６１】
上述のような、横加速度、加加速度の推定、計測のそれぞれのメリットを両立させるため、本実施例においては、図２３に示すように両者の信号を相補的に用いる方法を採用している。
【０１６２】
推定信号（estimatedとしてｅという添え字で示す）と検出信号（sensedとして、ｓという添え字で示す）は、横滑り情報（横滑り角β、ヨーレイトｒなど）に基づいて可変となるゲインを掛けて足し合わせることになる。
【０１６３】
この、横加加速度推定信号Gyeに対する可変ゲインKje（Kje<1）は、横滑り角が少ない領域において大きな値をとり、横滑りが増加してくると小さな値をとるように変更される。また、横加加速度検出信号Gys_dotに対する可変ゲインKjs（Kjs<1）は、横滑り角が少ない領域において小さな値をとり、横滑りが増加してくると大きな値をとるように変更される。
【０１６４】
同様に横加速度推定信号Gyeに対する可変ゲインKge（Kge<1）は、横滑り角が少ない領域において大きな値をとり、横滑りが増加してくると小さな値をとるように変更される。また、横加速度検出信号Gysに対する可変ゲインKgs（Kgs<1）は、横滑り角が少ない領域において小さな値をとり、横滑りが増加してくると大きな値をとるように変更される。
【０１６５】
このように構成することにより、横滑り角が小さい通常領域から、横滑りが大きくなった限界領域までノイズが少なく、制御に適した加速度、加加速度信号を得ることができるような構成となっている。なお、これらのゲインは、横滑り情報の関数、あるいはマップにより決定する。あるいは、図１５、図１８に示したように単純に絶対値のセレクト・ハイを行っても、十分に実用に値することは確認できている。
【０１６６】
ここまでは本発明の車両の運動制御装置の第一実施例の装置構成および、横加速度、横加加速度を推定する方法（これらは、図１９内のセンサ群を一体化したコンバインドセンサ２００内、あるいは中央コントローラ４０内のロジックとして内包されていても良い）について述べた。
【０１６７】
次に、図２４を用いて本発明の、ロジックを含んだシステム構成について説明する。
【０１６８】
図２４は、制御手段である中央コントローラ４０の演算制御ロジック４００と、車両０、センサ群およびセンサからの信号をもとに（中央コントローラ４０内で演算するのであるが）横滑り角を推定するオブザーバの関係を模式的に示したものである。ロジック全体はおおまかに、車両運動モデル４０１、G-Vectoring制御演算部４０２、M+制御演算部４０３、ESC制御演算部４０４、制動力・駆動力配分部４０５にて構成されている。
【０１６９】
つまり、制御手段である中央コントローラ４０は、検出された舵角δと車速V、そしてドライバの加減速指令Gx_DRVに基づいて加減速指令とモーメント指令を生成する。加減速指令を生成するのは、加減速指令生成手段（車両運動モデル４０１、G-Vectoring制御演算部４０２とドライバ加減速指令の加算器）である。具体的には、加減速指令は、舵角と車速に基づいて生成された、目標前後加速度に、ドライバ加減速指令を付加して制御指令値とする。また駆動力制動力配分手段である制動力・駆動力配分部４０５では、各輪の駆動力又は駆動トルク、及び／又は、制動力又は制動トルクの配分を決定する。
【０１７０】
車両運動モデル４０１は、ドライバ舵角センサ３３から入力された舵角δと、車速Ｖから数２、数３を用いて推定横加速度（Ｇye）、目標ヨーレイトｒt、目標横滑り角βtを推定する。本実施例では、目標ヨーレイトｒtは、先に述べた、操舵から求めたヨーレイトｒδと同一とするような設定となっている。
【０１７１】
G-Vectoring制御演算部４０２とM+制御演算部４０３に入力する横加速度、横加加速度については、図２３に示すように両者の信号を相補的に用いる信号処理装置（ロジック）４１０を採用している。
【０１７２】
G-Vectoring制御演算部４０２は、これらの横加速度、横加加速度を用いて、数１に従い、目標前後加速度指令Ｇx_GVCのうち、現在の車両横運動に連係した成分を決定する。さらにはドライバの加減速意思であるＧx_DRVを足し合わせて、目標前後加速度指令ＧXcを算出し、制動力・駆動力配分部４０５に出力する。もちろん、図１８と同様に、これら２つの加速度指令値をセレクト・ハイしても良い。つまり、目標前後加速度指令Ｇx_GVCは、舵角と車速に基づいて算出された推定横加速度と、推定横加速度から算出された横加加速度と、から算出される。
【０１７３】
同様にM+制御演算部４０３は、これらの横加速度、横加加速度を用いて、数２１に従い、目標モーメントを決定する。つまり、目標モーメント指令Mz+は、舵角と車速に基づいて算出された推定横加速度と、推定横加速度から算出された横加加速度と、から算出される。
【０１７４】
次に、ESC制御演算部４０４においては、目標ヨーレイトrt（ｒδ）、目標横滑り角βtと、実ヨーレイト、実（推定）横滑り角との偏差Δr、Δβに基づいて、目標ヨーモーメントMz_ESCを算出し、先の目標モーメント指令Mz+と、ここでは足し合わせることにより制動力・駆動力配分部４０５に出力する。もちろん、図１８と同様に、これら２つのモーメント指令値をセレクト・ハイしても良い。目標ヨーモーメントMz_ESCは、舵角と車速と車両のヨーレイトと横滑り角に基づいて算出される。
【０１７５】
制動力・駆動力配分部４０５は、加減速指令である目標前後加速度指令GXc及び目標ヨーモーメントMzcに基づいて、図２５に示すように車両０の四輪の初期基本制動・駆動力（Fxfl_o、Fxfr_o、Fxrl_o、Fxrr_o）を決定するような構成となっている。もちろん、このとき図１９に示したように、ヨーモーメント制御と、加減速制御の非干渉化を可能とする配分となっている。
【０１７６】
次に、本発明の対角配分制御を適用した場合の車両運動に関して、具体的な走行を想定して説明する。
【０１７７】
図２６の想定シーンは、図１８（図１）と同様で直進路Ａ、過渡区間Ｂ、定常旋回区間Ｃ、過渡区間Ｄ、直進区間Ｅという、コーナーへの進入、脱出の一般的な走行シーンのうち、定常旋回区間Ｃ点４において、挙動変化が発生している状況を想定している。下段には、左旋回として前外、前内、後外、後内のそれぞれの輪の制動・駆動力が示されている。
まず、カーブ前のドライバによる減速に対しては、４輪同圧のブレーキによる制動力が働く（旋回内外輪に差は無し）。舵角入力により、横加速度が立ち上がって行く段階では、減速をしながら、旋回促進のモーメントが発生するように旋回内側の前後輪の制動力が大きな値となっている。また、横加速度増加段階を過ぎて、定常旋回に入ると、制駆動力はゼロとなる（横加加速度もゼロ）。
【０１７８】
ここで、スピン傾向の挙動変化が発生すると、スピンを回避するために、旋回逆向きの復元モーメントが要求される。このためには、旋回外側の前後輪に制動力を加え、時計回りのモーメントを得るようにする。さらに、加減速としては指令がゼロなので、旋回内側の前後輪に駆動力を加える。これにより前後方向の制動力と駆動力がバランスし、加減速ゼロを実現できるとともに、駆動力も時計回りのモーメントとなるために、より多くの安定化モーメントが得られスピン回避性能の向上が図れる（このとき、制動で得られた回生エネルギーを駆動側に戻すように構成してもよい）。
【０１７９】
さらにカーブからの脱出時には、旋回外側の前後輪に駆動力を加え復元側のモーメントを与え、早期に直進状態に戻るように駆動力を配分する。もちろん完全に直進状態に入ったあとは、左右差が出ないように駆動力を配分する。
【０１８０】
以上のように図２０に示すような４輪独立制駆動制御が可能な車両０のコントローラ４０に、横加加速度に基づくG-Vectoring制御指令（とドライバ制御指令）による加減速制御と、横加加速度に基づくモーメント・プラス（M+)制御指令によるヨーモーメント制御、さらには横滑り情報にもとづくESC制御指令によるヨーモーメント制御のHybrid＋Enhanced制御(制駆動制御）を実現することにより、操縦性と安定性の向上とともに、加減速を伴わない挙動変化抑制効果を得ることが出来る。
【０１８１】
さらに、本実施例のように制動力又は制動トルクを発生する電動機（左後輪モータ１，右後輪モータ２，左前輪モータ１２１，右前輪モータ１２２）を有しているために、その電動機により制動力又は制動トルクが発生されるときに生じる電力を回生する回生手段を搭載し（図示せず）、運動制御に伴うエネルギーを回収できるような構成としても良い。
【０１８２】
駆動を伴わないブレーキ制御のみでHybrid＋制御を考える場合でも、上述のコントローラ４０同様に、G-Vectoring制御指令演算部とモーメント・プラス（M+)制御指令演算部とESC制御指令演算部をひとつのコントローラ、例えばプレミアム仕様のESC内に全て搭載することにより、多少の減速度は発生するが、同様の効果を得ることが出来る。ただし、それはディファレンシャルギアを有する駆動輪の片側にブレーキをかけ、駆動力を加える等の、いわゆるブレーキLSD効果、Torque-Vectoring効果を利用することになる。
【０１８３】
以上のように、理想形態である実施例１における制御効果についてのべた。さて、以下では本発明のモーメント・プラス制御を加えたHybrid＋制御が可能とする、もうひとつの効果、すなわちハードウェア構成が限られた状態でも、優れた制御効果が得られることを、実験結果を用いて示していく。
【実施例２】
【０１８４】
図２７に、本発明の第２実施形態の制御構成を示す。基本的にはプレミアムESC９０に具備される減速度ポート９０１とモーメントポート９０２に、GVCによる減速指令とM+によるモーメント指令を加え、ESC本来の動きは横滑り情報によりモーメント制御を行うと言う構成である。実際には図２８に示すように、ESC制御ロジック自体は横滑り角βの推定ロジックなどとともに、プレミアムESC本体に従来制御として搭載されており、ADASコントローラ９１など外部コントローラから減速度ポート９０１とモーメントポート９０２に、CAN接続で送られる構成となっている。
【０１８５】
ADASコントローラ９０１には、ステレオカメラ、ナビ情報、あるいは外部との通信により得られた種々の外部情報に基づき、例えば障害物があるときには、GVC、あるいはM+のゲインを大きめに変更する等、ITSに対応した制御切り替え機能が搭載されている。これにより、通常領域での違和感を減らしたセッティングで平常時には稼働し、障害物があるときには緊急回避性能を向上した制御セッティングで制御を稼働することができ、大幅に安全性を向上することができる。さらには、万一障害物情報、先行車情報、後方車情報のいずれかを含む外界情報が得られたときに加減速指令をゼロにして、衝突、追突などを避けるように構成されている。
【０１８６】
もちろんADASコントローラ９０１には（図示しないが）、ドライバからのアクセル操作指令、ブレーキ操作指令が入力されており、ドライバからのブレーキ操作指令が入力された場合GVCの加速指令はゼロとなり、ドライバからのアクセル操作指令が入力された場合には、GVCの減速指令はゼロとなるように調整され、ドライバの意思に沿った車両となるようにしている。
【０１８７】
運動制御ロジックを外部情報が集結するADASコントローラに搭載しているため、このようなきめ細やかな制御が容易に実現できる構成となっている。
【０１８８】
さて、以下では本発明の第２の実施例を具現化した試験車両を用いて、圧雪路で実際に試験を行った結果を用いて、本発明の優位性を実証していく。
【０１８９】
図２９は、図２７、図２８の構成を具体化した実験車両の概要である。車両は排気量２．５リットルのFRの５速AT車両である。ESCユニットはプレミアム仕様の機種が搭載されている。ADASコントローラ相当の汎用コントローラを用い、GVC指令値とM+指令値をVehicle CANシステムの減速度指令値とモーメント指令値のポートに書き込むような構成とし、ハードウェアの改造は行っていない。CAN通信はESCユニット内の閉じた通信に比べて、通信速度が大幅に遅いというデメリットを持っている。逆に、このような構成で、車両運動上の制御メリットが出るのであれば、図５の、どの構成においても（CANでつながる、どのコントローラにGVCとM+のロジックを実装しても）制御効果が得られるということを実証できる。これにより、複数の実施形態で本発明で標榜している高品位の運動制御が実現することができ、より多くのドライバに当該技術・装置を提供することができる。
【０１９０】
ESC内部の車輪速や、横すべり角情報などの状態変数やモーメント、減速などの制御量をモニターすることはできないが、ESC（VDC）が稼働していることを示す、フラグを計測することはできた。このような構成で開発されたソフトウェア、コントローラはハードウェア、ソフトウェアの改造が必要なく、アクチュエータ違いの車両への展開も、容易に可能であり、低コストでの開発が可能となるというメリットがある。
＜試験内容＞
本発明の第２の実施例を定量的に評価するために、図３０に示すような、以下の３つの試験を実施した。
・Lターン試験
主としてESC開発時における、制御介入・終了タイミング、緩転舵のスロースピンを誘発するような試験形態である。GVCの開発初期段階からドライ、スノーを問わず行ってきた定番のメニューということが出来る。圧雪路の場合、６０km/h近辺の進入で、滑らかに、ゆっくりステアを切ってもリアを振り出すような挙動が発生する。ステア舵角入力、各種状態量の計測とともにGPSを用いて軌跡を計測することにより、ライントレース性の評価が可能となる。主として、単純な直角コーナリングを行うための、ドライバ舵角、またそれに対するヨーレイトの応答、位相をみることによりドライバによる当該車両、制御の操縦しやすさなどが評価できる。今回は、このLターンを行うときの進入可能速度と、修正操舵量を評価した。 
・レーンチェンジ試験
シングルレーンチェンジは緊急回避を想定した高周波操舵であり、操作追従性（トレース性）と挙動安定性（収束性）を評価するものである。本来は操作のばらつきの少ないテストドライバの評価に基づき、介入タイミングと量のチューニングを行うべきであるが、今回は、単純にレーンチェンジ時の成否についてのみ評価することにした。また、紙面の都合上限られた制御仕様（GVC、ESC、M+搭載(Hybrid+）とESCのみ（ノーマル車両相当）のみの掲載に留める。
・ハンドリングコース試験
数値化できないフィーリングなどの総合的な評価を行う。今回はリスクを冒して最速で走るのではなく、十分にマージンをとって、制御により実現される車両特性に見合った走行を心がけた。
＜供試制御内容＞
今回は、ESC、GVCとM+制御があるので、それぞれのON/OFF、すなわち2^3=8種類の制御評価を行った（図３１）。実際にはESCを搭載しない車両を製品化することは（法規上でも）無いが、ドライバの責任の範囲でOFFする場合もあるため、ESC OFFとの組み合わせも試験を行った。また、この中で、（d）は、GVCがON、ESCがONでM+がOFFである。この構成の場合、GVC指令は別コントローラからCAN信号としてESCに送信され、SCの介入閾値などは、変更していないので、シームレスな制御が構築されていない。したがって（d）別コントローラHybrid制御と記す。
【０１９１】
実際に最も重要な比較は、全制御あり（本発明のHybrid+制御）ケース（a）と、ノーマル車両相当のケース（b）である。ケース（a）が本発明の第２実施例にて実現できる最良の形態イメージである。
＜実車試験結果＞
・Lターン試験結果
図３２から図３５までに、図３１のケース（a）から（h）についてのLターン試験結果を示す。それぞれの評価ポイントについて、記載する。
（１）舵角とヨーレイトの時系列データ
舵角変化に伴いヨーレイトがどのように変化していくかが評価できる。例えば舵角が少ない範囲では、ほぼ線形的な呼応関係があるが、舵角が大きくなると、この関係からの乖離が現れる。また、舵角が概ね１００度を超えると、ギア比の関係で前輪の横すべり角も6度を超えるため、非線形特性が表れるようになる。舵角変化とヨーレイト変化の関係から操縦性を見てとることができる。
（２）舵角とヨーレイトのリサージュ波形初速度
上記と近いが、舵角に対するヨーレイトの線形性をみることができる。また、Lターン中の操舵範囲が明確となり、これが正の範囲内となることが目標である。操縦性を確保するためには、第一象限に斜めの一本の線になることが望ましい。
（３）前後・横加速度とESC、M+フラグ
横加速度の増加状況で、コーストレース性の優劣が比較できる。もちろん早く横加速度が立ち上がった方が、トレース性が高い。いつまでも横加速度が立ち上がってこないと、ドライバは操舵角を増やし続けるしかない。GVCが稼働している際には横運動に連係して減速度が発生することがわかる。また、ここでそれぞれの制御のフラグにて、横加速度が低下（加加速度が負）のときに制御が稼働しているか否かがわかる。
（４）“g-g” Diagram
前後と横の加速度の連係がわかる。曲線状になめらかに遷移することが望ましい。
（５）車速推移
どのタイミングで速度が低減されているのかがわかる。また、Lターン進入時の初速度がわかる。
（６）車両経路
もちろん、うねることなく直角にコースをたどれる方が良い。
【０１９２】
以下、それぞれのケースについて他と比較しながら評価を述べていく。ただし、ESCのみのケースはコースを逸脱した進入速度５５km/hの実験結果とし、他は６０km/hとした。
（a）Hybrid＋制御（ESC ON、 GVC ON、 M+ ON）
舵角、ヨーレイトともに小さな範囲内で保たれている。本データは旋回後期にスピンを発生しそうになったケースを選んでいる（モーメント制御稼働を見るため）。舵角vsヨーレイトは第一象限に保たれており、マイナス方向の修正操舵は無く、線形性も保たれている。ヨーレイト急増が起こっても的確にM+制御とESCで止められているため、ドライバによるカウンターステアがほとんど行われていない。経路もきれいに直角にLターンをまわっている。
（b）ノーマルESCつき車両相当（ESC ON、 GVC OFF、 M+ OFF）
いわゆるスロースピン状態となっている。舵角を増やしてもヨーレイトが立ち上がらないため、コースに沿うためどんどん舵角を増加していき、そのうちに、ヨーレイトが止まらなくなり、急いでマイナス方向まで修正操舵を行っている。修正操舵がマイナス方向になるまで、ESCは稼働せず、結果として左右にふられる運動となってしまった。操舵角に対するヨー応答の線形性は、特に戻し側に大きな位相差を生じて、扱いづらい特性となっている。最初に大舵角（１５０度近く）を必要とする時点で、修正操舵の遅れなども引き起こしているものと思われる。
（c）GVC・オフ（ESC ON、GVC OFF M+ ON）
GVCが入っていないことにより、（b）ノーマルESCつき車両相当と同様に舵角に対してヨーレイトが着いてこないため舵角が徐々に増加し、その後逆方向にまで修正操舵を加えることになっている。M+制御のおかげで、負の修正操舵量が（b）より少なくなっている（−１５０度→−１１０度）。
（d）別コントローラHybrid制御（ESC ON、 GVC ON、 M+ OFF）
GVCにより旋回初期の舵角は減らすことが出来た（１００度以下）が、後半でのオーバーステアをESCのみでは止めきれず、結果としてヨーレイトの反転を発生させてしまっている。舵角が少ないためふらつきは（b）、（c）に比べて少ない。すなわち、別コントローラからGVCの指令を通信速度の遅いCAN信号で送信する構成であっても、明確にGVCの効果を発揮でき、ESCのみに比較して有意性をもつことを示している。
（e）GVC＆M+（ESC OFF、GVC ON M+ ON）
GVCにより旋回初期の舵角は低減され、ヨーレイトの立ち上がりも良く、かつモーメントにより後半も安定化されており、舵角 vs ヨーレイトのリサージュ波形もほぼ線形で、行きと帰りで同じところを通っており、低摩擦路を感じさせない運転となっている。また、”g-g”ダイアグラムも曲線的な動きであり、好適なフィーリングを実現できている。このことは、ESCが稼働するまでの範囲では高品質な制御が期待できるということであり、狙い通りの制御性能が実現できていることが分かる。
（f）GVCのみ（ESC OFF、GVC ON M+ OFF）
旋回初期は良いが、やはり後半でリアを振り出してしまい、結果として逆方向まで修正操舵が発生している。操舵速度も若干遅めで、GVCによる減速度が大きく出てないために、車速が（e）に比べて高い。
（g）モーメントのみ（ESC OFF、GVC OFF M+ ON）
やはり舵がきかないため、操舵角が大きくなりすぎて後半にリバースしている。
（h）コントロールなし（ESC OFF、GVC OFF M+ OFF）
制御が入っていないということで、用心した運転となって、舵角の増加は比較的少なめである。後半でのリバースも普通に発生している。復元のためのモーメント制御が入らないため、（g）より僅かに大きめの修正を行っている。
【０１９３】
以上の結果より、GVCによりアンダーステアを押さえて舵角を減らし、その後にM+によりオーバーステアを低減するというコンセプトが具現化で来ていることが確認できた。ESCと本制御（GVC＆M+）を組み合わせることにより、通常のESCに比べ、進入速度を１０％向上させ安全マージンを稼ぎ、マイナス方向の修正操舵を無くすことができ、操縦性と安定性を向上できることを確認できた。
＜レーンチェンジ試験結果＞
レーンチェンジ試験結果はLターンで述べた運動性能を反映する結果となったので、Hybrid＋制御（ESC ON、 GVC ON、 M+ ON）と（b）ノーマルESCつき車両相当のみを掲載する（図３６）。初速度はメータ読みで６０km/hである。
（a）Hybrid＋制御（ESC ON、 GVC ON、 M+ ON）
２次切り戻しで若干リアがリバース側の挙動を示すが、ほとんど問題なくレーンチェンジできる。
（b）ノーマルESCつき車両相当（ESC ON、 GVC OFF、 M+ OFF）
（a）に比べ、横移動性能が低く、長い間大きな舵角を切っておく必要があり、この間にヨーレイトが振動的になっている（車両固有振動数近辺）。このため、２次側では修正操舵も同様な周波数となり、DIS（Driver Induced Oscillation）状態となっている。（a）は横移動ができるため即座に切り戻し、車両固有振動を発生させずに、結果としてレーンチェンジに成功している。
＜ハンドリング路走行試験結果＞
図３７に（a）Hybrid＋制御（ESC ON、 GVC ON、 M+ ON）と（b）ノーマルESCつき車両相当（ESC ON、 GVC OFF、 M+ OFF）について、ハンドリング路を走行した時のデータを示す。それぞれ、十分にマージンをとって、制御により実現される車両特性に見合った走行を心がけた。この結果、それぞれの車速にあるように、（a）のほうが、平均車速が５km/h以上高く、速度差も大きく、メリハリのある運転となった。（a）においては、速度が高いにも関わらず、ESCが稼働したのは、４５秒近辺と９８秒近辺の２か所のみであった。特に９８秒近辺は、氷結した下り・逆バンクコーナーであり、結果的にはほとんどESCは作動していない。“g-g” ダイアグラムを見ると（b）に比べて、広い範囲でまんべんなく前後、横加速度を発生で来ていることが分かる。
【０１９４】
複数のドライバ（３人）で評価したが、（a）の仕様は、（b）に比べてフィーリングが良かった。（b）の仕様は、コーナー入口で操舵が効きにくく、操舵角をおそるおそる切る必要があり、また滑りだすとESCにより唐突な減速があるためと考えられる。もちろんその他の仕様（h）制御無し、（d）モーメントのみOFF（別コントローラHybrid制御）、Lターンでフィーリングの良かった（e）GVC＆M+でも走行を行ったが、紙面の都合上、割愛する。
【０１９５】
それぞれの制御仕様のフィーリングを見える化にするために、図３８に示すような、“Jx-Jy”ダイアグラム（前後加加速度 vs 横加加速度）と、新たに考案した“δ_dot-r_dot”（舵角速度 vs ヨー角速度）ダイアグラムを描いてみた。
【０１９６】
加加速度の分布図は、前後運動と横運動の連係度合いを明示するものと考えられ、乗り心地のいい状況は、原点近辺に状態量が集まっている状況である。もちろん（a）は、（b）よりも平均速度が高いため、比較条件は良くないが、図３８に示す通り、（b）のノーマル車両よりも原点への集中度が高い。また、フィーリングが良かった（e）GVC＆M+も（b）に比べ原点への集中度が高い。これは、ESCを稼働させない限界手前の範囲においては、（a）と同様な制御が期待できるからである。
【０１９７】
さらに（d）モーメント・オフ（別コントローラHybrid制御）は、（b）に比べてもある程度原点に集中しているが、第一象限に輪のような軌跡（複数回通っている）が見られる。すなわち、横運動と前後運動が唐突に起きている部分があるということである（連係はしている）。さて、今回新たに考案したM+（モーメント・プラス）制御の評価を“δ_dot-r_dot”ダイアグラムで見てみる。このダイアグラムにおいても原点から遠くにあり、特に第２象限、第４象限にあると、車両制御が困難となる、と考えられる。理想的には原点を通る右肩上がりの線上（傾きをKとする）に、また原点近くに集まると運転がしやすいと考えられる。Kは運動中の、単位当たりの舵角量に対する瞬時ヨーレイトゲイン（dr/dδ）と考えられるからである（数３１）。
【０１９８】
【数３１】
2014069766.tif 000033
【０１９９】
これが各運動状態において一定であるということは、扱いやすいクルマであると言える。（d）のモーメント・オフ（別コントローラHybrid制御）では、（a）（e）に比べて、この傾きが大きなことが見て取れる。すなわち、少し操舵に対してピーキーな特性を有していると見てとれる。これは、復元モーメントの低下を補うための制御が無いためと思われ、M+制御の有効性を実証する結果と考えられる。
【０２００】
以上のように、ハンドリング路試験結果を用いて、操縦安定性・フィーリング評価を２種類のダイアグラムを用いて行い、それぞれの効果を力学的な観点から定量的に評価できた。これによりGVCとM+制御の有効性が確認できた。これらの制御は、減速度入力ポートとモーメント入力ポートを持つESCに、ADASコントローラ相当から指令を送ることにより、実現できる。ノーマルESCつき車両を、無改造で大幅に性能向上できるため、複数の実施形態で高品位の運動制御が実現することができ、より多くのドライバに当該技術・装置を提供することができる（図３９）。
【０２０１】
以上、横滑り情報にもとづくヨーモーメント制御（ESC）、横加加速度に基づく加減速制御（G-Vectoring）、そしてこれらを組み合わせた制御（Hybrid制御）について言及し、ハードウェア上の制約から過渡状態から限界領域までの「乗り継ぎ制御」が必要であることを示し、横加加速度に基づくヨーモーメント制御（モーメント・プラス：M+）について、その技術的背景、実現方法など基本的な考え方を示し、これら、ESC、GVC、M+の３つのモードを有する車両運動制御（Hybrid+）の有効性について示した。
【０２０２】
さらに、２例の実施例、実車試験結果を用いて本発明の有効性を述べてきた。実車試験結果では、比較的通信速度の低い車両CANを用いたシステム構成においても、十分な効果が得られることを示し、複数のコントローラ間をCAN信号にて接続したシステム構成においても、本発明で標榜する高品位の操縦性と安定性を有する車両運動制御が実現できることを実証した。
【０２０３】
本発明によると、これまで、ESCに組み込む以外に方法が無かった操縦性、安定性、さらには乗心地の向上が図れる車両の運動制御（G-VectoringとESC（DYC）のHybrid制御）に、両者の乗り継ぎのモーメント制御（M+）を加えることにより、少なくとも通信で接続されたコントローラにG-VectoringとM+を搭載し、ESCへと通信で指令を送ることにより、Hybrid+制御が実現できる。このことは複数のハードウェアの実施形態で、より多くのドライバに当該技術・装置を提供することができることを示している。
【符号の説明】
【０２０４】
０  車両
１  左後輪モータ
２  右後輪モータ
７  パワーステアリング
１０  アクセルペダル
１１  ブレーキペダル
１６  ステアリング
２１  横加速度センサ
２２  前後加速度センサ
２３、２４、２５  微分回路
３１  アクセルポジションセンサ
３２  ブレーキペダルポジションセンサ
３３  ドライバ舵角センサ
３８  ヨーレイトセンサ
４０  中央コントローラ
４４  ステアリングコントローラ
４６  パワートレインコントローラ
４８  ペダルコントローラ
５１  アクセル反力モータ
５２  ブレーキペダル反力モータ
５３  ステア反力モータ
６１  左前輪
６２  右前輪
６３  左後輪
６４  右後輪
７０  ミリ波対地車速センサ
【図１】
2014069766.tif 000036
【図２】
2014069766.tif 000037
【図３】
2014069766.tif 000038
【図４】
2014069766.tif 000039
【図５】
2014069766.tif 000040
【図６】
2014069766.tif 000041
【図７】
2014069766.tif 000042
【図８】
2014069766.tif 000043
【図９】
2014069766.tif 000044
【図１０】
2014069766.tif 000045
【図１１】
2014069766.tif 000046
【図１２】
2014069766.tif 000047
【図１３】
2014069766.tif 000048
【図１４】
2014069766.tif 000049
【図１５】
2014069766.tif 000050
【図１６】
2014069766.tif 000051
【図１７】
2014069766.tif 000052
【図１８】
2014069766.tif 000053
【図１９】
2014069766.tif 000054
【図２０】
2014069766.tif 000055
【図２１】
2014069766.tif 000056
【図２２】
2014069766.tif 000057
【図２３】
2014069766.tif 000058
【図２４】
2014069766.tif 000059
【図２５】
2014069766.tif 000060
【図２６】
2014069766.tif 000061
【図２７】
2014069766.tif 000062
【図２８】
2014069766.tif 000063
【図２９】
2014069766.tif 000064
【図３０】
2014069766.tif 000065
【図３１】
2014069766.tif 000066
【図３２】
2014069766.tif 000067
【図３３】
2014069766.tif 000068
【図３４】
2014069766.tif 000069
【図３５】
2014069766.tif 000070
【図３６】
2014069766.tif 000071
【図３７】
2014069766.tif 000072
【図３８】
2014069766.tif 000073
【図３９】
2014069766.tif 000074